(57)【要約】【課題】ハーフＰＣ柱の建て込み作業を容易にかつ安全に行う。【解決手段】柱用の打込型枠として筒状に形成されたプレキャストコンクリート部材であるハーフＰＣ柱１をクレーンにより柱筋２の上方から吊り下ろして建て込むに際して、その建て込み作業を補助するためにハーフＰＣ柱に装着されるガイドフレーム１０であって、ハーフＰＣ柱の高さ寸法よりも長い複数の縦材１１を横材１２により連結してフレーム状に組み立て、その上部を支持機構としての支持棒１６によりハーフＰＣ柱の上部に支持せしめることにより、縦材の下端部をハーフＰＣ柱の下端よりも下方に突出させた状態でハーフＰＣ柱に装着する構成とする。【選択図】　　　図３
2004011291.tif 000002
【特許請求の範囲】
【請求項１】
柱用の打込型枠として筒状に形成されたプレキャストコンクリート部材であるハーフＰＣ柱をクレーンにより柱筋の上方から吊り下ろして建て込むに際して、その建て込み作業を補助するためにハーフＰＣ柱に装着されるガイドフレームであって、ハーフＰＣ柱の高さ寸法よりも長い複数の縦材を横材により連結してフレーム状に組み立て、その上部を支持機構によりハーフＰＣ柱の上部に支持せしめることにより、縦材の下端部をハーフＰＣ柱の下端よりも下方に突出させた状態でハーフＰＣ柱に装着する構成としたことを特徴とするハーフＰＣ柱建て込み用のガイドフレーム。
【発明の詳細な説明】
【０００１】
【発明の属する技術分野】
本発明はハーフＰＣ柱の建て込み作業を補助するためのガイドフレームに関する。
【０００２】
【従来の技術】
ＲＣ造の建物の施工に際して図４に示すようなハーフＰＣ柱１を採用する場合がある。これは柱用の打込型枠として機能する角筒状のプレキャストコンクリート部材であって、これを（ｃ）に示すように主筋と帯筋とを組んだ柱筋２の上方から吊り下ろして（ａ）および（ｂ）に示すようにその周囲に建て込み、その内部にコンクリートを打設充填することで柱の構築を行うようにしたものである。
【０００３】
【発明が解決しようとする課題】
ところで、上記のハーフＰＣ柱１を建て込む際には、（ｃ）に示したように作業員が脚立上からハーフＰＣ柱１に手を添えてその吊り下ろしを誘導するのであるが、その際には作業員が脚立上において背伸びをし手を大きく上方に伸ばすという不安定な姿勢となることがあるので、そのような誘導作業は充分に慎重を期す必要があり、そのためハーフＰＣ柱１の建て込み作業をより容易かつ安全に行うための改善策が必要とされていた。
【０００４】
【課題を解決するための手段】
上記事情に鑑み、本発明は、柱用の打込型枠として筒状に形成されたプレキャストコンクリート部材であるハーフＰＣ柱をクレーンにより柱筋の上方から吊り下ろして建て込むに際して、その建て込み作業を補助するためにハーフＰＣ柱に装着されるガイドフレームであって、ハーフＰＣ柱の高さ寸法よりも長い複数の縦材を横材により連結してフレーム状に組み立て、その上部を支持機構によりハーフＰＣ柱の上部に支持せしめることにより、縦材の下端部をハーフＰＣ柱の下端よりも下方に突出させた状態でハーフＰＣ柱に装着する構成としたことを特徴とする。
【０００５】
【発明の実施の形態】
本発明のガイドフレーム１０の一実施形態を図１〜図３に示す。本実施形態のガイドフレーム１０は図４に示したような角筒状のハーフＰＣ柱１を対象とするもので、４本の縦材１１と、それら縦材１１を連結する上下２段の横材１２からなる。
【０００６】
縦材１１はアルミ製あるいは鋼製のアングル材からなり、その長さ寸法はハーフＰＣ柱１の高さ寸法よりも１〜１．５ｍ程度長く設定されている。横材１２はアルミ製あるいは鋼製のフラットバーが直角に折り曲げられたもので、各縦材１１の上端部および中間部に対して溶接あるいはビス止め等により固定されている。
【０００７】
本実施形態のガイドフレーム１０は、図２に示すように４本の縦材１１をそれぞれハーフＰＣ柱１の角部に位置させた状態で、各横材１２の先端部どうしを重ね合わせてボルト１３，ナット１４により締結することで全体としてフレーム状に組み立てられ、同時にボルト１３の頭部をハーフＰＣ柱１の周面に押し当てることで、このガイドフレーム１０ががたつくことなくハーフＰＣ柱１の外側に装着されるようになっている。なお、互いに重ね合わせられる横材１２の先端部にそれぞれ形成されているボルト孔は、少なくとも一方が横長のルーズホール１５とされていて、ハーフＰＣ柱１の断面寸法に合わせて横材１２どうしの重ね合わせ長さを調節し、それにより縦材１１の相互間隔を調節することが可能となっている。
【０００８】
また、このガイドフレーム１０の上部には、ハーフＰＣ柱１の上部に係合することでこのガイドフレーム１０全体をハーフＰＣ柱１の上部から吊り下げる形態で支持するための支持機構としての２本の支持棒１６が設けられている。すなわち、上段の横材１２の上面には、Ｄ１３程度の鉄筋をかすがい状に曲げ加工した取付金物１７が溶接等により固定され、その取付金物１７内に、Ｄ１６程度の鉄筋からなる支持棒１６が通されて対向する横材１２間に架け渡されている。支持棒１６は取付金物１７の範囲内で横方向に移動可能とされているが、支持棒１６の両端部には抜け止め用の頭部１６ａが一体に形成されていて取付金物１７からの脱落は防止されるようになっている。
【０００９】
上記のガイドフレーム１０を用いてハーフＰＣ柱１を建て込む際の作業手順を図３に示す。（ａ）に示すように、ハーフＰＣ柱１にガイドフレーム１０を装着してクレーンにより吊り上げた状態では、ガイドフレーム１０は支持棒１６を介してハーフＰＣ柱１の上部から吊り支持された形態となり、縦材１１の長さがハーフＰＣ柱１の高さよりも長く設定されていることから、縦材１１の下端部はハーフＰＣ柱１の下端よりも下方に延出することになる。
【００１０】
そのため、ハーフＰＣ柱１を柱筋２の上方において吊り下ろしていく際には、脚立上の作業員は背伸びしたり手を大きく上方に伸ばすことなく自然な姿勢で縦材１１に手が届くから、その縦材１１を保持してハーフＰＣ柱１の吊り下ろしを容易に誘導することができる。なお、吊り下ろしに際して支持棒１６が柱筋２（主筋）の上端の位置を通過することになるが、その際に支持棒１６と主筋とが干渉しても、支持棒１６は取付金物１７の範囲内で横方向に自ずと位置がずれるのでそのまま支障なく吊り下ろすことができる。
【００１１】
そのようにしてハーフＰＣ柱１を吊り下ろしていき、（ｂ）に示すように縦材１１の下端が床面に達するとガードフレーム１０は自立するので、その時点で吊り下ろしを一旦停止し、ハーフＰＣ柱１の周面に押し当てているボルト１３を緩めた後、ハーフＰＣ柱１をガイドフレーム１０内において降下させつつ位置決めを行って（ｃ）に示すように床面に到達させ、ボルト１３を抜去してガイドフレーム１０をハーフＰＣ柱１から取り外せば作業完了となる。なお、（ｂ）の段階でガイドフレーム１０をハーフＰＣ柱１から取り外してしまっても良い。
【００１２】
以上のように、上記のガイドフレーム１０によれば、これをハーフＰＣ柱１に装着することのみで、そのハーフＰＣ柱１の建て込み作業を容易にかつ安全に行うことが可能となり、ハーフＰＣ柱１の建て込み作業の効率向上および安全性向上を図ることができる。そして、上記のガイドフレーム１０は構成が単純であって複雑な機構を必要とせず、ハーフＰＣ柱１に対する装着や取り外しも何等面倒ではなく、また単なるアングル材やフラットバー、鉄筋といった汎用の建設資材により安価に製作できるものであり、寸法や形状の異なる各種のハーフＰＣ柱に対して繰り返し転用が可能であり、ハーフＰＣ柱１の建て込み作業を補助するものとして極めて有効である。
【００１３】
なお、本発明は上記実施形態に限定されることなく、対象とするハーフＰＣ柱の形状や寸法に対応させて各部の構成を任意に設計変更することが可能であり、たとえば縦材１１の本数や横材１２の段数を増減したり、ガイドフレーム１０の上部をハーフＰＣ柱１の上部に係合させるための支持機構の構成も適宜の変更が考えられる。また、上記実施形態のガイドフレーム１０は円柱を形成するための円筒状のハーフＰＣ柱に対してもそのまま適用可能であるが、円筒状のハーフＰＣ柱を対象とする場合には、横材を円弧状に形成してそれらを連結することで全体として円筒フレーム状をなすようなガイドフレームとすることも可能である。
【００１４】
【発明の効果】
本発明のガイドフレームは、縦材の下端部をハーフＰＣ柱の下端よりも下方に突出させた状態でハーフＰＣ柱に装着されるものであるから、これを装着したハーフＰＣ柱の建て込みの際には作業員が縦材の下端部を保持してその吊り下ろしを誘導することが可能であり、したがってハーフＰＣ柱の建て込み作業を安全かつ容易に行うことが可能となる。また、縦材と横材とをフレーム状に組み立てるという単純な構成であるから、簡単かつ安価に製作でき、ハーフＰＣ柱に対する装着や取り外しも簡単であり、形状や寸法の異なる各種のハーフＰＣ柱に装着可能であり、繰り返し転用も可能であり、ハーフＰＣ柱建て込み作業の補助手段として極めて有効である。
【図面の簡単な説明】
【図１】本発明の実施形態であるガイドフレームを示す図である。
【図２】同ガイドフレームのハーフＰＣ柱への装着状況を示す図である。
【図３】同ガイドフレームを装着したハーフＰＣ柱の建て込み作業を示す図である。
【図４】従来一般のハーフＰＣ柱とその建て込み作業を示す図である。
【符号の説明】
１　ハーフＰＣ柱
２　柱筋
１０　ガイドフレーム
１１　縦材
１２　横材
１３　ボルト
１４　ナット
１５　ルーズホール
１６　支持棒（支持機構）
１７　取付金物
【図１】
2004011291.tif 000003
【図２】
2004011291.tif 000004
【図３】
2004011291.tif 000005
【図４】
2004011291.tif 000006